(57)【要約】【課題】  捕獲しようとするねずみの足裏に水や油等が付着していても、確実にねずみを捕獲できる粘着式ねずみ取りを提供する。【解決手段】  可撓性を有し、上面に粘着剤５を塗布してなるシート４と、このシート４を平坦に固定でき、かつこの固定を容易に解除できる舌片３、３ａを備えてなる台紙２とで構成し、台紙２にセットしたシート４の上に進入したねずみの体に対してシート４の粘着剤５が付着すると、このねずみの動きでシート４と舌片３、３ａとの固定が強制的に解除され、シート４がねずみの体にまとわり付ついてねずみを捕らえるように構成した。【選択図】  図７
2008054616.tif 000002
【特許請求の範囲】
【請求項１】
可撓性を有し、上面に粘着剤を塗布してなるシートと、同シートを平坦に固定でき、かつこの固定を容易に解除できる固定手段を備えてなる台紙とで構成してなる粘着式ねずみ取りであって、前記台紙にセットしたシート上に進入したねずみの体に対してシートの粘着剤が付着し、同ねずみの動きでシートと固定手段との固定が解除され、同シートがねずみの体にまとわり付ついてねずみを捕らえるように構成してなる粘着式ねずみ取り。
【請求項２】
前記台紙の固定手段を舌片で構成するとともに同舌片を台紙の左右両端付近に各配設し、また、前記シートの左右両端にこれら先端部から内方に所定の幅で粘着剤の無塗布部分を設けて、これら各無塗布部分を台紙の各舌片に挟着してシートを固定するように構成してなる請求項１に記載の粘着式ねずみ取り。
【請求項３】
前記シートの前後両端に、これら先端部から内方に所定の幅で粘着剤の無塗布部分を設け、また、これら各無塗布部分を挟着できる舌片を、前記台紙の前後両端付近に配設してなる請求項２に記載の粘着式ねずみ取り。
【請求項４】
前記台紙の左端から右端に渡り、所定の間隔をおいて第一の折り目と第二の折り目を形成して台紙の前後方向を３区画に分け、これら区画における台紙の前区画、後区画の台紙を、前記第一の折り目、第二の折り目より中区画の台紙上面方向に折り曲げることができるように構成してなる請求項１に記載の粘着式ねずみ取り。
【発明の詳細な説明】
【技術分野】
【０００１】
本発明は、上面に粘着剤が塗布されたシートを台紙上に固定して使用するシートと台紙を分割してなるセパレートタイプの粘着式ねずみ取りに関する。
【背景技術】
【０００２】
ねずみ取りには、平坦な台紙上面にねずみを捕捉するための粘着剤を塗布してなる粘着式のものが従来からあり（例えば、特許文献１参照）、このような粘着式のねずみ取は、ねずみの出没口または通路にセットし、その台紙上に進入してきたねずみを台紙上面に塗布した粘着剤によって捕らえる構成となっている。
【０００３】
そして、台紙上面に進入してきたねずみは、粘着剤によって足の動きを妨げられ、もがくにつれて粘着剤の付着部分が広がって捕獲されるのであるが、ねずみは排水溝等の水や油の付着し易い場所を通ることが多く、ねずみの足裏に付いた水や油が粘着剤との接着力著しく低下させてしまう。
【０００４】
このような場合、ねずみの足裏が粘着剤に接着されながらも、その上でもがくねずみの動きを抑止することができず、ねずみは台紙上面を通過すなわち逃走してしまう問題があり、またねずみが後足だけを粘着剤に捕らえられた状態で逃走し、ねずみ取りの粘着剤を周囲の床や壁に付着させて汚すというようなケースもある。
【０００５】
【特許文献１】特開平０８−２４２７４４号公報（第１〜３頁、図１〜５）
【発明の開示】
【発明が解決しようとする課題】
【０００６】
本発明は、ねずみの足裏に水や油等が付着している場合でも、確実にねずみを捕獲できる粘着式ねずみ取りを提供できるようにした。
【課題を解決するための手段】
【０００７】
上述した課題を解決するために、本発明に係る粘着式ねずみ取りは、可撓性を有し、上面に粘着剤を塗布してなるシートと、同シートを平坦に固定でき、かつこの固定を容易に解除できる固定手段を備えてなる台紙とで構成してなる粘着式ねずみ取りであって、前記台紙にセットしたシート上に進入したねずみの体に対してシートの粘着剤が付着し、同ねずみの動きでシートと固定手段との固定が解除され、同シートがねずみの体にまとわり付ついてねずみを捕らえるように構成したものとしてある。
【０００８】
また前記台紙の固定手段を舌片で構成するとともに同舌片を台紙の左右両端付近に各配設し、また、前記シートの左右両端にこれら先端部から内方に所定の幅で粘着剤の無塗布部分を設けて、これら各無塗布部分を台紙の各舌片に挟着してシートを固定するように構成したものとしてある。
【０００９】
さらに前記シートの前後両端に、これら先端部から内方に所定の幅で粘着剤の無塗布部分を設け、また、これら各無塗布部分を挟着できる舌片を、前記台紙の前後両端付近に配設したものとしてある。
【００１０】
また前記台紙の左端から右端に渡り、所定の間隔をおいて第一の折り目と第二の折り目を形成して台紙の前後方向を３区画に分け、これら区画における台紙の前区画、後区画の台紙を、前記第一の折り目、第二の折り目より中区画の台紙上面方向に折り曲げることができるように構成したものとしてある。
【発明の効果】
【００１１】
本発明の粘着式ねずみ取りによれば、台紙にセットしたシート上に進入したねずみの体に粘着剤が付着すると、シート内方に進行するねずみの動きにより、ねずみの進入側におけるシートの固定を容易に解除できる台紙の固定手段からシートが外れて体に付着した粘着剤から逃走しようとそのシート上でもがくねずみの体の後部にまとわり付き、さらに、ねずみの進入側と反対側に配設しているシートの固定を容易に解除できる台紙の固定手段からシートが外れ、このシートがねずみの体の前部にまとわり付く。
【００１２】
したがって、台紙にセットしたシート上に進入した直後のねずみの足裏に粘着剤が充分に付着しなくても、台紙から外れたシートがねずみの体にまとわり付いてねずみの動きを抑止し確実に捕獲することができ、しかもねずみの足裏以外の部分は水や油がさほど付着せず、粘着力も大であるので、捕獲力の格段の向上を期すことができる。
【００１３】
また、シートが台紙から外れるようにしているので、シートがねずみの動きに対して追従し、すぐにねずみの足にまとわり付きねずみの動きを抑止するので、ねずみがシートを引きずって暴れ、周囲の床や壁を汚すおそれをほぼ確実に防止することができる。
【００１４】
さらに、捕獲したねずみを捨てる際、既に捕獲の過程でシートによってねずみの体がくるまれた状態になっているので、捕獲されたねずみを見ることに抵抗を感ずる人でも、ねずみを見ることなく不快感なしに捨てることができ、しかも衛生的である。
【発明を実施するための最良の形態】
【００１５】
以下、本発明の粘着式ねずみ取りを添付図面に基づいて説明する。
本発明の粘着式ねずみ取り１は、図１示すように、ボール紙等の紙材や樹脂等の薄板材からなる台紙２の前後左右端部付近に配設する舌片３、３ａで、粘着剤５を塗布したシート４の前後左右端部付近における粘着剤５の無塗布部分を挟んで、このシート４を台紙２上に平坦に固定するようになっている。
【００１６】
そして、台紙２の前後左右端部付近に配設している舌片３、３ａによるシート４の挟着状態は、図２に示すように、シート４の端部付近における粘着剤５の無塗布部分を舌片３によって押えるようになっている。また、舌片３と舌片３ａは同じ構造であるため、舌片３ａの図示は省略している。
【００１７】
これら舌片３、３ａは、図３に示すように、台紙２の前後左右端部付近に適宜な切れ込み２ａを入れることによって形成しているので、シート４を挟む際、舌片３、３ａの上方への引き起し加減を調整することにより、舌片３、３ａが台紙２面方向すなわち下方へ復帰しようとする復帰力を大あるいは小にして、２ラップ片３、３ａによるシート４の挟着力を調整できるようにしている。
【００１８】
そして、シート４は、紙材や樹脂材等の可撓性を有する柔軟な薄板材からなっており、この上面に粘着剤を塗布している。この粘着剤は、その成分を粘着剤の塗布形態により、主剤のポリブテンに流動抑止剤、例えば、超微粒子状無水シリカを数パーセント混入する等して調整する場合もある。
【００１９】
また、台紙２の形態においては、図４に示すように、台紙２に平行な第一の折り目２ｂと第二の折り目２ｃを形成して、これら第一および第二の折り目２ｂ、２ｃによって区画された前区画２ｄ、後区画２ｆの台紙を、図５に示すように、中区画２ｅの台紙上面の略垂直方向（矢印の方向）に折り曲げることができるようにする場合もある。
【００２０】
また、フラップ３は、第一の折り目２ｂ、第二の折り目２ｃと交差しないように中区画２ｅだけ、あるいは、図では示していないが中区画２ｅとともに、前区画２ｄ、後区画２ｆにそれぞれ独立して設けるのがよい。
【００２１】
したがって、粘着式ねずみ取り１をねずみの出没口や通り道にセットする際、例えば図６のように、台紙２の前後方向の幅より狭い壁７と部材８の間の床６に粘着式ねずみ取り１をセットする際は、台紙２における前区画２ｄを第一の折り目２ｂより中区画２ｅの台紙上面方向に折り曲げてこの中区画２ｅの台紙裏面を壁７（壁面）に付け、また、台紙２における中区画２ｅ、後区画２ｆの台紙を平坦にすることによって粘着式ねずみ取り１をセットできる。
【００２２】
また、図４に示す台紙においては、第一および第二の折り目２ｂ、２ｃを台紙の左右方向に平行に２線設けてあるが、１線あるいは３線以上の折り目を設ける場合もあり、さらに、台紙２の前後方向に平行に２線設けたり、１線あるいは３線以上の折り目を設ける場合もある。さらには、台紙２の前後左右方向に設ける場合もある。
【００２３】
そして、粘着式ねずみ取り１を、図１のように、台紙２の前後左右端部付近に配設する舌片３、３ａに、粘着剤５を塗布したシート４をこのシート４の前後左右端部付近における粘着剤５の無塗布部分を挟んで台紙２上に平坦に固定した状態にしてねずみの出没口や通り道にセットする。
【００２４】
このセットした粘着式ねずみ取り１に、ねずみがこの粘着式ねずみ取り１の台紙２における舌片３から進入する場合、図７（ａ）図で示すように、ねずみ９は台紙２に乗り、さらに舌片３を乗り越えてシート４上に進入してくる。
【００２５】
しかしながら、台紙２の先端と床６との段差が殆ど無視できる高さであり、また舌片３が緩やかな上り坂であるため、ねずみ９は殆ど警戒することなくシート４上に進入してくる。
【００２６】
そして、進入したねずみ９の足裏に水や油が付着している場合、ねずみ９はシート４上の粘着剤５に接着されることなく、このシート４上を移動するが、徐々にねずみ９の足裏が粘着剤５に接着し始めるため、ねずみ９は粘着剤５上から逃走しようとその上でもがき始める。
【００２７】
かくすると、図７（ｂ）図で示すように、例えば、もがいているうちにねずみ９の尾や後部の毛等の体の部分がシート４に塗布されている粘着剤５に接着されるとともに、この接着されたシート４が、もがくねずみ９によってこのねずみ９の進入側の舌片３による挟着状態が強制的に解除され、シート４上でもがくねずみ９の体の後部にまとわり付いていく。
【００２８】
さらに、図７（ｃ）図で示すように、今度はねずみ９の鼻やひげ等の部分がシート４に塗布されている粘着剤５に接着されるとともに、この接着されたシート４が、さらにもがくねずみ９によってこのねずみ９の進行側の舌片３による挟着状態が強制的に解除され、シート４上でもがくねずみ９の体の前部にまとわり付いていく。
【００２９】
そして、図７（ｄ）図で示すように、シート４は、台紙２の前後方向に配設する舌片３ａ（図７中では図示を省略）による挟着状態も、もがくねずみ９によって強制的に解除されて、このシート４上でもがくねずみ９の体の前部にまとわり付いていき、図７（ｅ）図、同（ｆ）図で示すように、ねずみ９がさらにもがきまわるにつれてねずみ９の頭部や背を覆って、ねずみ９の動きを完全に抑止する。
また図７中の符号において、４ａはシート４の裏面である。
【００３０】
また図８は、粘着式ねずみ取り１はの包装例を示すものであり、台紙２、シート４共に前後方向すなわち長手方向に二つ折りにできるようにすることで、二つ折りにした台紙２の間に、同じく二つ折りにしたシート４を挟んだ状態で包装できるため、コンパクトな包装形態とすることができ、製品の保管、運搬、陳列に利便性が高い。
【図面の簡単な説明】
【００３１】
【図１】本発明に係る粘着式ねずみ取りの実施例を示す平面図。
【図２】図１の矢印Ａから見る粘着式ねずみ取りの一部拡大正面図。
【図３】台紙を示す平面図。
【図４】台紙の一例を示す平面図。
【図５】図４の台紙の作用を示す側面図。
【図６】図４の台紙からなる粘着式ねずみ取りの設置例を示す側面図。
【図７】ねずみの捕獲時における作用を示す正面図。
【図８】粘着式ねずみ取りの包装例を示す斜視図。
【符号の説明】
【００３２】
１  粘着式ねずみ取り
２  台紙
２ａ  切れ込み
２ｂ  第一の折り目
２ｃ  第二の折り目
２ｄ  前区画
２ｅ  中区画
２ｆ  後区画
３  舌片
３ａ  舌片
４  シート
４ａ  裏面
５  粘着剤
６  床
７  壁
８  部材
９  ねずみ
【図１】
2008054616.tif 000003
【図２】
2008054616.tif 000004
【図３】
2008054616.tif 000005
【図４】
2008054616.tif 000006
【図５】
2008054616.tif 000007
【図６】
2008054616.tif 000008
【図７】
2008054616.tif 000009
【図８】
2008054616.tif 000010